(57)【要約】  本発明の実施形態は、測位デバイス間でデータを共有するための方法および装置を提供する。方法は、第1の測位デバイスにより補助データを測位サーバから取得するステップであって、補助データが、第1の測位デバイスに対応する最初の位置情報を組み合わせることにより測位を実施するために、第1の測位デバイスにより使用される、ステップと、第1の測位デバイスにより補助データを第2の測位デバイスに送信し、それにより、第2の測位デバイスが補助データおよび第2の測位デバイスに対応する最初の位置情報に従って測位を実施する、ステップとを含む。本発明の実施形態では、補助データが測位デバイス間で共有され、それにより、測位デバイスが、同じ補助データを取得するために人工衛星と通信を行うことにより測位を実施する代わりに、共有される補助データを使用して測位を直接実施することによって、補助データを取得するために測位デバイスが人工衛星と通信するときに費やされる時間を減らし、測位デバイスの測位スピードを高める。
2017508988.tif 000002
【特許請求の範囲】
【請求項１】
測位デバイス間でデータを共有するための方法であって、
第1の測位デバイスにより補助データを測位サーバから取得するステップであって、前記補助データが、前記第1の測位デバイスに対応する最初の位置情報を組み合わせることにより測位を実施するために、前記第1の測位デバイスにより使用される、ステップと、
前記第1の測位デバイスにより前記補助データを第2の測位デバイスに送信し、それにより、前記第2の測位デバイスが前記補助データおよび前記第2の測位デバイスに対応する最初の位置情報に従って測位を実施する、ステップと
を含み、
前記第2の測位デバイスおよび前記第1の測位デバイスが、同じローカルエリアネットワーク内に位置する、
方法。
【請求項２】
第1の測位デバイスにより補助データを測位サーバから取得する前記ステップが、
前記第1の測位デバイスにより前記補助データを前記測位サーバから取得するステップと、前記補助データを解析するステップとを含み、前記補助データが、以下のデータ、すなわち、エフェメリス、アルマナック、時間、およびステータスデータのうちの1つまたは幾つかの組合せを含む、
請求項1に記載の方法。
【請求項３】
前記第1の測位デバイスに対応する前記最初の位置情報が、前記第1の測位デバイスによる測位プロセス中に前記測位サーバにより前記第1の測位デバイスに送信される情報であり、前記第2の測位デバイスに対応する前記最初の位置情報が、前記第2の測位デバイスによる測位プロセス中に前記測位サーバにより前記第2の測位デバイスに送信される情報である、請求項2に記載の方法。
【請求項４】
前記第1の測位デバイスにより前記補助データを第2の測位デバイスに送信し、それにより、前記第2の測位デバイスが前記補助データおよび前記第2の測位デバイスに対応する最初の位置情報に従って測位を実施する、前記ステップが、
前記第1の測位デバイスにより前記補助データを前記第2の測位デバイスに送信し、それにより、前記第2の測位デバイスが前記補助データをローカルメモリに記憶しフラグビットを設定するステップであって、前記フラグビットが、前記補助データがローカルに記憶されていることを識別するために使用される、設定するステップと、前記第2の測位デバイスが測位動作を実施するときに、前記補助データおよび前記第2の測位デバイスに対応する前記最初の位置情報に従って前記第2の測位デバイスにより測位を実施するステップとを含む、請求項1から3のいずれか一項に記載の方法。
【請求項５】
測位デバイス間でデータを共有するための方法であって、
第1の測位デバイスにより送信された補助データを第2の測位デバイスにより受信するステップであって、前記補助データが、前記第1の測位デバイスにより測位サーバから取得され、前記第1の測位デバイスに対応する最初の位置情報を組み合わせることにより前記第1の測位デバイスが測位を実施するためのデータである、ステップと、
前記補助データおよび前記第2の測位デバイスに対応する最初の位置情報に従って前記第2の測位デバイスにより測位を実施するステップとを含み、
前記第2の測位デバイスおよび前記第1の測位デバイスが、同じローカルエリアネットワーク内に位置する、
方法。
【請求項６】
前記補助データが、前記測位サーバから前記第1の測位デバイスにより取得され解析後に得られるデータであり、前記補助データが、以下のデータ、すなわち、エフェメリス、アルマナック、時間、およびステータスデータのうちの1つまたは幾つかの組合せを含む、請求項5に記載の方法。
【請求項７】
前記第1の測位デバイスに対応する前記最初の位置情報が、前記第1の測位デバイスによる測位プロセス中に前記測位サーバにより前記第1の測位デバイスに送信される情報であり、前記第2の測位デバイスに対応する前記最初の位置情報が、前記第2の測位デバイスによる測位プロセス中に前記測位サーバにより前記第2の測位デバイスに送信される情報である、請求項6に記載の方法。
【請求項８】
前記補助データおよび前記第2の測位デバイスに対応する最初の位置情報に従って前記第2の測位デバイスにより測位を実施する前記ステップが、
前記第2の測位デバイスにより前記補助データをローカルメモリに記憶し、フラグビットを設定するステップであって、前記フラグビットが、前記補助データがローカルに記憶されていることを識別するために使用される、ステップと、
前記第2の測位デバイスが測位動作を実施するときに、前記補助データおよび前記第2の測位デバイスに対応する前記最初の位置情報に従って前記第2の測位デバイスにより測位を実施するステップと
を含む、請求項5から7のいずれか一項に記載の方法。
【請求項９】
第1の測位デバイスであって、
補助データを測位サーバから取得するように構成された取得モジュールであって、前記補助データが、前記第1の測位デバイスに対応する最初の位置情報を組み合わせることにより測位を実施するために、前記第1の測位デバイスにより使用される、取得モジュールと、
前記補助データを第2の測位デバイスに送信するように構成され、それにより、前記第2の測位デバイスが前記補助データおよび前記第2の測位デバイスに対応する最初の位置情報に従って測位を実施する、送信モジュールと
を備え、
前記第2の測位デバイスおよび前記第1の測位デバイスが、同じローカルエリアネットワーク内に位置する、
第1の測位デバイス。
【請求項１０】
前記取得モジュールにより前記測位サーバから取得された前記補助データを解析するように構成された解析モジュールであって、前記補助データが、以下のデータ、すなわち、エフェメリス、アルマナック、時間、およびステータスデータのうちの1つまたは幾つかの組合せを含む、解析モジュール
をさらに備える、請求項9に記載の第1の測位デバイス。
【請求項１１】
前記取得モジュールが、前記第1の測位デバイスによる測位プロセス中に前記測位サーバにより前記第1の測位デバイスに送信された、前記第1の測位デバイスに対応する前記最初の位置情報を受信するようにさらに構成される、請求項10に記載の第1の測位デバイス。
【請求項１２】
前記送信モジュールが、具体的に、
前記補助データを前記第2の測位デバイスに送信するように構成され、それにより、前記第2の測位デバイスが前記補助データをローカルメモリに記憶しフラグビットを設定し、前記フラグビットが、前記補助データがローカルに記憶されていることを識別するために使用され、前記送信モジュールが、前記第2の測位デバイスが測位動作を実施するときに、前記補助データおよび前記第2の測位デバイスに対応する前記最初の位置情報に従って測位を実施するように構成される、請求項9から11のいずれか一項に記載の第1の測位デバイス。
【請求項１３】
第1の測位デバイスにより送信された補助データを受信するように構成された受信モジュールであって、前記補助データが、前記第1の測位デバイスにより測位サーバから取得され、前記第1の測位デバイスに対応する最初の位置情報を組み合わせることにより前記第1の測位デバイスが測位を実施するためのデータである、受信モジュールと、
前記補助データおよび第2の測位デバイスに対応する最初の位置情報に従って測位を実施するように構成された測位モジュールと
を備え、
前記第2の測位デバイスおよび前記第1の測位デバイスが、同じローカルエリアネットワーク内に位置する、
第2の測位デバイス。
【請求項１４】
前記受信モジュールにより受信された前記補助データが、前記測位サーバから前記第1の測位デバイスにより取得され解析後に得られるデータであり、前記補助データが、以下のデータ、すなわち、エフェメリス、アルマナック、時間、およびステータスデータのうちの1つまたは幾つかの組合せを含む、請求項13に記載の第2の測位デバイス。
【請求項１５】
前記受信モジュールが、前記第2の測位デバイスによる測位プロセス中に前記測位サーバにより前記第2の測位デバイスに送信された、前記第2の測位デバイスに対応する前記最初の位置情報を受信するようにさらに構成される、請求項14に記載の第2の測位デバイス。
【請求項１６】
前記測位モジュールが、
前記補助データをローカルメモリに記憶するように構成された記憶ユニットと、
フラグビットを設定するように構成されたフラグユニットであって、前記フラグビットが、前記補助データがローカルに記憶されていることを識別するために使用される、フラグユニットと、
前記第2の測位デバイスが測位動作を実施するときに、前記補助データおよび前記第2の測位デバイスに対応する前記最初の位置情報に従って測位を実施するように構成された測位サブユニットと
を備える、請求項13から15のいずれか一項に記載の第2の測位デバイス。
【請求項１７】
第1の測位デバイスであって、受信器および送信器を備え、
前記受信器が補助データを測位サーバから取得するように構成され、前記補助データが、前記第1の測位デバイスに対応する最初の位置情報を組み合わせることにより測位を実施するために、前記第1の測位デバイスにより使用され、
前記送信器が、前記補助データを第2の測位デバイスに送信するように構成され、それにより、前記第2の測位デバイスが前記補助データおよび前記第2の測位デバイスに対応する最初の位置情報に従って測位を実施し、
前記第2の測位デバイスおよび前記第1の測位デバイスが、同じローカルエリアネットワーク内に位置する、
第1の測位デバイス。
【請求項１８】
プロセッサをさらに備え、前記プロセッサが、前記測位サーバから前記受信器により取得された前記補助データを解析するように構成され、前記補助データが、以下のデータ、すなわち、エフェメリス、アルマナック、時間、およびステータスデータのうちの1つまたは幾つかの組合せを含む、請求項17に記載の第1の測位デバイス。
【請求項１９】
前記受信器が、前記第1の測位デバイスによる測位プロセス中に前記測位サーバにより前記第1の測位デバイスに送信された、前記第1の測位デバイスに対応する前記最初の位置情報を受信するようにさらに構成される、請求項18に記載の第1の測位デバイス。
【請求項２０】
前記送信器が、具体的に、
前記補助データを前記第2の測位デバイスに送信するように構成され、それにより、前記第2の測位デバイスが前記補助データをローカルメモリに記憶しフラグビットを設定し、前記フラグビットが、前記補助データがローカルに記憶されていることを識別するために使用され、前記第2の測位デバイスが測位動作を実施するときに、前記補助データおよび前記第2の測位デバイスに対応する前記最初の位置情報に従って測位を実施するように構成される、
請求項17から19のいずれか一項に記載の第1の測位デバイス。
【請求項２１】
第2の測位デバイスであって、受信器およびプロセッサを備え、
前記受信器が、第1の測位デバイスにより送信された補助データを受信するように構成され、前記補助データが、前記第1の測位デバイスにより測位サーバから取得され、前記第1の測位デバイスに対応する最初の位置情報を組み合わせることにより前記第1の測位デバイスが測位を実施するためのデータであり、
前記プロセッサが、前記補助データおよび前記第2の測位デバイスに対応する最初の位置情報に従って測位を実施するように構成され、
前記第2の測位デバイスおよび前記第1の測位デバイスが、同じローカルエリアネットワーク内に位置する、
第2の測位デバイス。
【請求項２２】
前記受信器により受信された前記補助データが、前記測位サーバから前記第1の測位デバイスにより取得され解析後に得られるデータであり、前記補助データが、以下のデータ、すなわち、エフェメリス、アルマナック、時間、およびステータスデータのうちの1つまたは幾つかの組合せを含む、請求項21に記載の第2の測位デバイス。
【請求項２３】
前記受信器が、前記第2の測位デバイスによる測位プロセス中に前記測位サーバにより前記第2の測位デバイスに送信された、前記第2の測位デバイスに対応する前記最初の位置情報を受信するようにさらに構成される、請求項22に記載の第2の測位デバイス。
【請求項２４】
前記プロセッサが、前記補助データをローカルメモリに記憶しフラグビットを設定するようにさらに構成され、前記フラグビットが、前記補助データがローカルに記憶されていることを識別するために使用され、前記第2の測位デバイスが測位動作を実施するときに、前記補助データおよび前記第2の測位デバイスに対応する前記最初の位置情報に従って測位を実施するように構成される、請求項21から23のいずれか一項に記載の第2の測位デバイス。
【請求項２５】
測位デバイス間でデータを共有するためのシステムであって、請求項17から20のいずれか一項に記載の前記第1の測位デバイスと、請求項21から24のいずれか一項に記載の前記第2の測位デバイスとを備える、システム。
【発明の詳細な説明】
【技術分野】
【０００１】
本発明の実施形態は、通信技術に関し、特に、測位デバイス間でデータを共有するための方法および装置に関する。
【背景技術】
【０００２】
モバイル技術の発達に伴って、車両に適用される各種の測位デバイスが現れている。一般の測位デバイスは、測位機能を有する携帯電話および車両端末を含む。
【０００３】
ユーザは、測位デバイスのアプリケーション層のユーザインターフェイスを使用して測位機能を有効にする。測位デバイスのオペレーティングシステムは、アプリケーション層のユーザインターフェイスにより送出されたコマンドに従って全地球測位システム（Global Positioning System、略してGPS）モジュールを呼び出し、それにより、有効状態のGPSモジュールが人工衛星と通信し、人工衛星により送信される補助データおよび車両の最初の位置情報を得る。オペレーティングシステムのGPSソフトウェアは、車両の位置の精確な緯度および経度情報を得るために、補助データおよび車両の最初の位置情報を処理する。補助データは、人工衛星に関するデータの集合であり、緯度および経度情報を得るように、車両の最初の位置情報を較正するために使用される。
【発明の概要】
【０００４】
先行技術では、補助データが測位デバイスに記憶されていない場合、または補助データが測位デバイスに記憶されているが、記憶されている補助データが消失したり失効したりしている場合、測位デバイスは、補助データを取得するために人工衛星と通信する必要があり、補助データを取得するプロセスに時間を費やす必要がある。結果として、測位デバイスの測位スピードが比較的遅くなる。
【課題を解決するための手段】
【０００５】
本発明の実施形態は、測位デバイスの測位スピードを向上させるために、測位デバイス間でデータを共有するための方法および装置を提供する。
【０００６】
本発明の実施形態のある態様によれば、測位デバイス間でデータを共有するための方法であって、
第1の測位デバイスにより補助データを測位サーバから取得するステップであって、補助データが、第1の測位デバイスに対応する最初の位置情報を組み合わせることにより測位を実施するために、第1の測位デバイスにより使用される、ステップと、
第1の測位デバイスにより補助データを第2の測位デバイスに送信し、それにより、第2の測位デバイスが補助データおよび第2の測位デバイスに対応する最初の位置情報に従って測位を実施する、ステップと
を含み、
第2の測位デバイスおよび第1の測位デバイスが、同じローカルエリアネットワーク内に位置する、方法が提供される。
【０００７】
本発明の実施形態の別の態様によれば、測位デバイス間でデータを共有するための方法であって、
第1の測位デバイスにより送信された補助データを第2の測位デバイスにより受信するステップであって、補助データが、第1の測位デバイスにより測位サーバから取得され、第1の測位デバイスに対応する最初の位置情報を組み合わせることにより第1の測位デバイスが測位を実施するためのデータである、ステップと、
補助データおよび第2の測位デバイスに対応する最初の位置情報に従って第2の測位デバイスにより測位を実施するステップと
を含み、
第2の測位デバイスおよび第1の測位デバイスが、同じローカルエリアネットワーク内に位置する、方法が提供される。
【０００８】
本発明の実施形態の別の態様によれば、第1の測位デバイスであって、
補助データを測位サーバから取得するように構成された取得モジュールであって、補助データが、第1の測位デバイスに対応する最初の位置情報を組み合わせることにより測位を実施するために、第1の測位デバイスにより使用される、取得モジュールと、
補助データを第2の測位デバイスに送信するように構成され、それにより、第2の測位デバイスが補助データおよび第2の測位デバイスに対応する最初の位置情報に従って測位を実施する、送信モジュールと
を備え、
第2の測位デバイスおよび第1の測位デバイスが、同じローカルエリアネットワーク内に位置する、第1の測位デバイスが提供される。
【０００９】
本発明の実施形態の別の態様によれば、第2の測位デバイスであって、
第1の測位デバイスにより送信された補助データを受信するように構成された受信モジュールであって、補助データが、第1の測位デバイスにより測位サーバから取得され、第1の測位デバイスに対応する最初の位置情報を組み合わせることにより第1の測位デバイスが測位を実施するためのデータである、受信モジュールと、
補助データおよび第2の測位デバイスに対応する最初の位置情報に従って測位を実施するように構成された測位モジュールと
を備える、第2の測位デバイスが提供される。
【００１０】
本発明の実施形態の別の態様によれば、第1の測位デバイスであって、受信器および送信器を備え、
受信器が補助データを測位サーバから取得するように構成され、補助データが、第1の測位デバイスに対応する最初の位置情報を組み合わせることにより測位を実施するために、第1の測位デバイスにより使用され、
送信器が、補助データを第2の測位デバイスに送信するように構成され、それにより、第2の測位デバイスが補助データおよび第2の測位デバイスに対応する最初の位置情報に従って測位を実施し、第2の測位デバイスおよび第1の測位デバイスが、同じローカルエリアネットワーク内に位置する、第1の測位デバイスが提供される。
【００１１】
本発明の実施形態の別の態様によれば、第2の測位デバイスであって、受信器およびプロセッサを備え、
受信器が、第1の測位デバイスにより送信された補助データを受信するように構成され、補助データが、第1の測位デバイスにより測位サーバから取得され、第1の測位デバイスに対応する最初の位置情報を組み合わせることにより第1の測位デバイスが測位を実施するためのデータであり、
プロセッサが、補助データおよび第2の測位デバイスに対応する最初の位置情報に従って測位を実施するように構成され、第2の測位デバイスおよび第1の測位デバイスが、同じローカルエリアネットワーク内に位置する、第2の測位デバイスが提供される。
【００１２】
本発明の実施形態の別の態様によれば、第1の測位デバイスおよび第2の測位デバイスを含む、測位デバイス間でデータを共有するためのシステムが提供される。
【００１３】
本発明の実施形態において提供される、測位デバイス間でデータを共有するための方法および装置によれば、補助データが測位デバイス間で共有され、それにより、測位デバイスが、同じ補助データを取得するために人工衛星と通信を行うことにより測位を実施する代わりに、共有される補助データを使用して測位を直接実施することによって、補助データを取得するために測位デバイスが人工衛星と通信するときに費やされる時間を減らし、測位デバイスの測位スピードを高める。
【図面の簡単な説明】
【００１４】
【図１】本発明のある実施形態による、測位デバイス間でデータを共有するための方法のフローチャートである。
【図２】本発明の別の実施形態による、測位デバイス間でデータを共有するための方法のフローチャートである。
【図３】本発明の別の実施形態による、測位デバイス間でデータを共有するための方法のフローチャートである。
【図４】本発明の別の実施形態による、測位デバイス間でデータを共有するための方法のフローチャートである。
【図５】本発明のある実施形態による第1の測位デバイスの構成図である。
【図６】本発明のある実施形態による第2の測位デバイスの構成図である。
【図７】本発明の別の実施形態による第2の測位デバイスの構成図である。
【図８】本発明のある実施形態による、測位デバイス間でデータを共有するためのシステムの構成図である。
【発明を実施するための形態】
【００１５】
本発明の実施形態または先行技術の技術的解決策をより明確に記述するために、以下では、実施形態のために必要とされる添付の図面を簡単に記述する。明らかなように、以下の説明における添付の図面は、本発明の一部の実施形態を示すものであり、当業者は、それらの添付の図面から創作的努力を伴わずに他の図面を導出し得る。
【００１６】
本発明の実施形態で使用される用語は、個別の実施形態を例示するためのものにすぎず、本発明を限定することを意図していない。本発明の実施形態および添付の請求項で使用される単数形の用語「1つの（a）」、「前記」および「その」は、文脈中で明確に指定されない限り、複数形を含むことも意図している。本明細書で使用される用語「および／または」が、関連して列挙される1つ以上のアイテムの任意または全ての可能な組合せを示し、含むことも理解されるべきである。本明細書中で採用される用語「含む」は、特徴、整数、ステップ、動作、要素および／または構成要素の存在を、他の特徴、整数、ステップ、動作、構成要素、要素、およびそれらの組合せの存在または付加を排除せずに特定することが、さらに理解されるべきである。
【００１７】
本発明の実施形態が、第1および第2などの用語を使用して各種の測位デバイスを記述し得るが、測位デバイスは、それらの用語に限定されないことが理解されるべきである。これらの用語は、測位デバイスを互いに区別するために使用されるにすぎない。例えば、本発明の実施形態の範囲から逸脱せずに、第1の測位デバイスが第2の測位デバイスと称されてもよく、同様に、第2の測位デバイスが第1の測位デバイスと称されてもよい。
【００１８】
図1は、本発明のある実施形態による、測位デバイス間でデータを共有するための方法のフローチャートである。本発明のこの実施形態は、車両内の複数の測位デバイス間での補助データの共有に適用可能であり、それにより、補助データを受信する測位デバイスが補助データに従って測位を実施する。具体的に、測位デバイス間でデータを共有するための方法のステップは以下の通りである。
【００１９】
ステップS101：第1の測位デバイスが補助データを測位サーバから取得し、ここで、補助データは、第1の測位デバイスに対応する最初の位置情報を組み合わせることにより測位を実施するために、第1の測位デバイスにより使用される。
【００２０】
第1の測位デバイスは、測位を実施できる任意のデバイスであり得、例えば、携帯電話または車両端末などのモバイル端末であり得、それは本発明のこの実施形態において限定されない。第1の測位デバイスにより補助データを人工衛星などの測位サーバから取得するステップは、具体的に、第1の測位デバイスにより補助データ取得要請を人工衛星に送信し、人工衛星により補助データを第1の測位デバイスに返信する。補助データは、人工衛星に関連するデータの集合であり、第1の測位デバイスに対応する最初の位置情報を組み合わせることにより測位を実施するために、第1の測位デバイスにより使用される。具体的に、第1の測位デバイスは、補助データを使用して第1の測位デバイスに対応する最初の位置情報を較正し、それにより第1の測位デバイスの地理的位置に対応する緯度および経度情報を得る。
【００２１】
ステップS102：第1の測位デバイスは、補助データを第2の測位デバイスに送信し、それにより、第2の測位デバイスが補助データおよび第2の測位デバイスに対応する最初の位置情報に従って測位を実施し、ここで、第2の測位デバイスおよび第1の測位デバイスは、同じローカルエリアネットワーク内に位置する。
【００２２】
第2の測位デバイスは、測位を実施できる任意のデバイスであり得、例えば、携帯電話または車両端末などのモバイル端末であり得、それは本発明のこの実施形態において限定されない。第1の測位デバイスおよび第2の測位デバイスは、同じローカルエリアネットワーク内、例えば同じ車両内に位置する。第1の測位デバイスは、無線伝送方式または有線伝送方式で補助データを第2の測位デバイスに送信し、それにより、第2の測位デバイスが、第2の測位デバイスの地理的位置に対応する緯度および経度情報を得るように、補助データを使用して第2の測位デバイスに対応する最初の位置情報を較正する。
【００２３】
本発明のこの実施形態では、補助データが測位デバイス間で共有され、それにより、測位デバイスが、補助データを取得するために人工衛星と通信を行うことにより測位を実施する代わりに、共有される同じ補助データを使用して測位を直接実施することによって、補助データを取得するために測位デバイスが人工衛星と通信するときに費やされる時間を減らし、測位デバイスの測位スピードを高める。
【００２４】
前述の実施形態に基づいて、第1の測位デバイスにより補助データを測位サーバから取得するステップは、第1の測位デバイスにより補助データを測位サーバから取得し、補助データを解析することを含み、ここで、補助データは、以下のデータ、すなわち、エフェメリス、アルマナック、時間、およびステータスデータのうちの1つまたは幾つかの組合せを含む。
【００２５】
測位サーバから取得された補助データを第1の測位デバイスにより解析するステップは、具体的に、第1の測位デバイスのfirewareチップを使用して実施され、ここで、解析される補助データは、エフェメリス、アルマナック、時間、およびステータスデータを含む。補助データに含まれるエフェメリス、アルマナック、時間、およびステータスデータは、人工衛星が補助データを送信する瞬間の人工衛星のステータス情報に対応するエフェメリス、アルマナック、時間、およびステータスデータであり、ここで、エフェメリス、アルマナック、時間、およびステータスデータは、補助データ送信の瞬間に人工衛星に記録される。エフェメリス、アルマナック、時間、およびステータスデータは、データ集合を形成し、ここで、データ集合は、第1の測位デバイスに記憶される。
【００２６】
第1の測位デバイスに対応する最初の位置情報は、第1の測位デバイスによる測位プロセス中に測位サーバにより第1の測位デバイスに送信される情報であり、第2の測位デバイスに対応する最初の位置情報は、第2の測位デバイスによる測位プロセス中に測位サーバにより第2の測位デバイスに送信される情報である。
【００２７】
本発明のこの実施形態では、測位デバイスが測位動作を実施するときに人工衛星から取得される補助データおよび最初のアドレス位置情報に含まれる個別の情報が、具体的に説明される。
【００２８】
前述の実施形態に基づいて、第1の測位デバイスにより補助データを第2の測位デバイスに送信し、それにより、第2の測位デバイスが補助データおよび第2の測位デバイスに対応する最初の位置情報に従って測位を実施する、ステップは、第1の測位デバイスにより補助データを第2の測位デバイスに送信し、それにより、第2の測位デバイスが補助データをローカルメモリに記憶しフラグビットを設定することを含み、ここで、フラグビットは、補助データがローカルに記憶されていることを識別するために使用され、同ステップは、第2の測位デバイスが測位動作を実施するときに、補助データおよび第2の測位デバイスに対応する最初の位置情報に従って第2の測位デバイスにより測位を実施することを含む。
【００２９】
第1の測位デバイスが補助データを第2の測位デバイスに送信した後、第2の測位デバイスは、まず、補助データをローカルメモリに記憶し、補助データがローカルに既に記憶されていることを表すためにフラグビットを設定し、測位動作を実施するとき、第2の測位デバイスは、人工衛星により送信され第2の測位デバイスが測位動作を実施するときに使用される最初の位置情報を受信し、補助データを人工衛星から取得する代わりに、ローカルに記憶されている同じ補助データを用いて、高精度の緯度および経度情報を得るように、第2の測位デバイスに対応する最初の位置情報を較正する。
【００３０】
本発明のこの実施形態では、測位デバイスが補助データを受信するときにフラグビットが設定され、それにより、測位デバイスが、共有される補助データがローカルに記憶されているかどうかをフラグビットに従って判定することによって、補助データを取得するために測位デバイスが人工衛星と通信するときに費やされる時間を減らし、測位デバイスの測位スピードを向上させる。
【００３１】
図2は、本発明の別の実施形態による、測位デバイス間でデータを共有するための方法のフローチャートである。本発明のこの実施形態は、車両内の複数の測位デバイス間での補助データの共有に適用可能であり、それにより、補助データを受信する測位デバイスが補助データに従って測位を実施する。具体的に、測位デバイス間でデータを共有するための方法のステップは以下の通りである。
【００３２】
ステップS201：第2の測位デバイスが第1の測位デバイスにより送信された補助データを受信し、ここで、補助データは、第1の測位デバイスにより測位サーバから取得され、第1の測位デバイスに対応する最初の位置情報を組み合わせることにより第1の測位デバイスが測位を実施するためのデータである。
【００３３】
第1の測位デバイスは、測位を実施できる任意のデバイスであり得、例えば、携帯電話または車両端末であり得、それは本発明のこの実施形態において限定されない。第1の測位デバイスにより補助データを人工衛星などの測位サーバから取得するステップは、具体的に、第1の測位デバイスにより補助データ取得要請を人工衛星に送信し、人工衛星により補助データを第1の測位デバイスに返信する。補助データは、人工衛星に関連するデータの集合であり、第1の測位デバイスに対応する最初の位置情報を組み合わせることにより測位を実施するために、第1の測位デバイスにより使用される。具体的に、第1の測位デバイスは、補助データを使用して第1の測位デバイスに対応する最初の位置情報を較正し、それにより第1の測位デバイスの地理的位置に対応する緯度および経度情報を得る。第1の測位デバイスは、無線伝送方式または有線伝送方式で補助データを第2の測位デバイスに送信する。
【００３４】
ステップS202：第2の測位デバイスは、補助データおよび第2の測位デバイスに対応する最初の位置情報に従って測位を実施し、ここで、第2の測位デバイスおよび第1の測位デバイスは、同じローカルエリアネットワーク内に位置する。
【００３５】
第2の測位デバイスは、測位を実施できる任意のデバイスであり得、例えば、携帯電話または車両端末であり得、それは本発明のこの実施形態において限定されない。第1の測位デバイスおよび第2の測位デバイスは、同じローカルエリアネットワーク内、例えば同じ車両内に位置する。第2の測位デバイスは、第2の測位デバイスの地理的位置に対応する緯度および経度情報を得るように、第1の測位デバイスにより送信された補助データを使用して第2の測位デバイスに対応する最初の位置情報を較正する。
【００３６】
本発明のこの実施形態では、補助データが測位デバイス間で共有され、それにより、測位デバイスが、補助データを取得するために人工衛星と通信を行うことにより測位を実施する代わりに、共有される同じ補助データを使用して測位を直接実施することによって、補助データを取得するために測位デバイスが人工衛星と通信するときに費やされる時間を減らし、測位デバイスの測位スピードを高める。
【００３７】
前述の実施形態に基づいて、補助データは、測位サーバから第1の測位デバイスにより取得され解析された後に得られるデータであり、補助データは、以下のデータ、すなわち、エフェメリス、アルマナック、時間、およびステータスデータのうちの1つまたは幾つかの組合せを含む。
【００３８】
測位サーバから取得された補助データを第1の測位デバイスにより解析するステップは、具体的に、第1の測位デバイスのfirewareチップを使用して実施され、ここで、解析される補助データは、エフェメリス、アルマナック、時間、およびステータスデータを含む。補助データは、エフェメリス、アルマナック、時間、およびステータスデータを含む。補助データに含まれるエフェメリス、アルマナック、時間、およびステータスデータは、人工衛星が補助データを送信する瞬間の人工衛星のステータス情報に対応するエフェメリス、アルマナック、時間、およびステータスデータであり、ここで、エフェメリス、アルマナック、時間、およびステータスデータは、補助データ送信の瞬間に人工衛星に記録される。エフェメリス、アルマナック、時間、およびステータスデータは、データ集合を形成し、ここで、データ集合は、測位デバイスに記憶される。
【００３９】
第1の測位デバイスに対応する最初の位置情報は、第1の測位デバイスによる測位プロセス中に測位サーバにより第1の測位デバイスに送信される情報であり、第2の測位デバイスに対応する最初の位置情報は、第2の測位デバイスによる測位プロセス中に測位サーバにより第2の測位デバイスに送信される情報である。
【００４０】
本発明のこの実施形態では、測位デバイスが測位動作を実施するときに人工衛星から取得される補助データおよび最初のアドレス位置情報に含まれる個別の情報が、具体的に説明される。
【００４１】
図3は、本発明の別の実施形態による、測位デバイス間でデータを共有するための方法のフローチャートである。前述の実施形態に基づいて、ステップS202は、具体的に、以下のステップを含む。
【００４２】
ステップS303：第2の測位デバイスは、補助データをローカルメモリに記憶し、フラグビットを設定し、ここで、フラグビットは、補助データがローカルに記憶されていることを識別するために使用される。
【００４３】
第1の測位デバイスが補助データを第2の測位デバイスに送信した後、第2の測位デバイスは、まず、補助データをローカルメモリに記憶し、補助データがローカルに既に記憶されていることを表すためにフラグビットを設定する。
【００４４】
ステップS304：測位動作を実施するとき、第2の測位デバイスは、補助データおよび第2の測位デバイスに対応する最初の位置情報に従って測位を実施する。
【００４５】
測位動作を実施するとき、第2の測位デバイスは、人工衛星により送信され、第2の測位デバイスが測位動作を実施するときに使用される最初の位置情報を受信し、補助データを人工衛星から取得する代わりに、ローカルに記憶されている同じ補助データを使用して、高精度な緯度および経度情報を得るように、第2の測位デバイスに対応する最初の位置情報を較正する。
【００４６】
本発明のこの実施形態では、測位デバイスが補助データを受信するときにフラグビットが設定され、それにより、測位デバイスが、共有される補助データがローカルに記憶されているかどうかをフラグビットに従って判定することによって、補助データを取得するために測位デバイスが人工衛星と通信するときに費やされる時間を減らし、測位デバイスの測位スピードを向上させる。
【００４７】
図4は、本発明の別の実施形態による、測位デバイス間でデータを共有するための方法のフローチャートである。図4に示すように、本発明のこの実施形態において提供される、測位デバイス間でデータを共有するための方法のステップは以下の通りである。
【００４８】
ステップS401：第1の測位デバイスのオペレーティングシステムが、RPC Socketを使用してRPCコマンドを送出する。
【００４９】
第1の測位デバイスのオペレーティングシステムは、RPC Socketを使用してRPCコマンドをGPSモジュールに送出する。
【００５０】
ステップS402：第1の測位デバイスのGPSモジュールが補助データを取得する。
【００５１】
第1の測位デバイスのGPSモジュールは、補助データを取得するために、RPCコマンドに従って人工衛星と通信する。
【００５２】
ステップS403：第1の測位デバイスのfirewareチップが補助データを解析する。
【００５３】
第1の測位デバイスのfirewareチップは、GPSモジュールにより取得された補助データを解析する。
【００５４】
ステップS404：第1の測位デバイスのh2d＿threadが、補助データをカプセル化する。
【００５５】
第1の測位デバイスのh2d＿threadスレッドは、補助データをデータ集合にカプセル化し、データ集合の要素が、エフェメリス、アルマナック、時間、およびステータスデータを含む。
【００５６】
ステップS405：第1の測位デバイスのeventloopガードスレッドが、補助データを無線伝送パケットにカプセル化する。
【００５７】
第1の測位デバイスのeventloopガードスレッドは、補助データに対応するデータ集合の要素を無線伝送パケットにカプセル化する。
【００５８】
ステップS406：第1の測位デバイスは、ブルートゥース(登録商標)を使用して補助データを送信する。
【００５９】
第1の測位デバイスは、ブルートゥース(登録商標)を使用して補助データを第2の測位デバイスに送信する。
【００６０】
ステップS407：第2の測位デバイスのeventloopガードスレッドが、補助データを解析する。
【００６１】
第2の測位デバイスのeventloopガードスレッドは、第1の測位デバイスにより送信された補助データを解析する。
【００６２】
ステップS408：第2の測位デバイスはフラグビットを設定する。
【００６３】
第2の測位デバイスは、第2の測位デバイスが補助データを既に受信したことを識別するために、フラグビットを設定する。
【００６４】
ステップS409：第2の測位デバイスは、補助データをローカルメモリに記憶するか、または補助データに関する挿入操作を実施する。
【００６５】
第2の測位デバイスは、補助データをローカルメモリに記憶するか、または補助データに関する挿入操作を実施し、すなわち、第2の測位デバイスは、補助データを第2の測位デバイスのfirewareチップに入力し、それにより、firewareチップが、測位を実施するために補助データおよび第2の測位デバイスに対応する最初の位置情報を処理する。
【００６６】
ステップS410：第2の測位デバイスのアプリケーション層が、呼出しを実施する。
【００６７】
第2の測位デバイスのアプリケーション層は、ローカルメモリに記憶されている補助データを呼び出すか、またはfirewareチップの処理結果を呼び出す。
【００６８】
本発明のこの実施形態では、補助データが測位デバイス間で共有され、それにより、測位デバイスが、補助データを取得するために人工衛星と通信を行うことにより測位を実施する代わりに、共有される同じ補助データを使用して測位を直接実施することによって、補助データを取得するために測位デバイスが人工衛星と通信するときに費やされる時間を減らし、測位デバイスの測位スピードを高める。
【００６９】
図5は、本発明のある実施形態による第1の測位デバイスの構成図である。本発明のこの実施形態において提供される第1の測位デバイスは、測位デバイス間でデータを共有するための方法のある実施形態において提供される処理手順を実行し得る。図5に示すように、第1の測位デバイス50は、取得モジュール51および送信モジュール52を含み、ここで、取得モジュール51は、補助データを測位サーバから取得するように構成され、ここで、補助データは、第1の測位デバイスに対応する最初の位置情報を組み合わせることにより測位を実施するために、第1の測位デバイスにより使用され、送信モジュール52は、補助データを第2の測位デバイスに送信するように構成され、それにより、第2の測位デバイスが補助データおよび第2の測位デバイスに対応する最初の位置情報に従って測位を実施し、ここで、第2の測位デバイスおよび第1の測位デバイスは、同じローカルエリアネットワーク内に位置する。
【００７０】
取得モジュール51は、前述の実施形態におけるステップS101の方法を実行するように構成され得、送信モジュール52は、前述の実施形態におけるステップS102の方法を実行するように構成され得る。詳細については、前述の実施形態における方法の説明を参照されたく、それについては本明細書で再び記述しない。
【００７１】
本発明のこの実施形態に基づいて、第1の測位デバイス50は、取得モジュール51により測位サーバから取得された補助データを解析するように構成された解析モジュール53をさらに含み、ここで、補助データは、以下のデータ、すなわち、エフェメリス、アルマナック、時間、およびステータスデータのうちの1つまたは幾つかの組合せを含む。
【００７２】
取得モジュール51は、第1の測位デバイスによる測位プロセス中に測位サーバにより第1の測位デバイスに送信された、第1の測位デバイスに対応する最初の位置情報を受信するようにさらに構成される。
【００７３】
送信モジュール52は、具体的に、補助データを第2の測位デバイスに送信するように構成され、それにより、第2の測位デバイスが補助データをローカルメモリに記憶しフラグビットを設定し、ここで、フラグビットは、補助データがローカルに記憶されていることを識別するために使用され、同モジュールは、第2の測位デバイスが測位動作を実施するときに、補助データおよび第2の測位デバイスに対応する最初の位置情報に従って測位を実施するように構成される。
【００７４】
本発明のこの実施形態では、補助データが測位デバイス間で共有され、それにより、測位デバイスが、補助データを取得するために人工衛星と通信を行うことにより測位を実施する代わりに、共有される同じ補助データを使用して測位を直接実施することによって、補助データを取得するために測位デバイスが人工衛星と通信するときに費やされる時間を減らし、測位デバイスの測位スピードを高める。
【００７５】
図6は、本発明のある実施形態による第2の測位デバイスの構成図である。本発明のこの実施形態において提供される第2の測位デバイスは、測位デバイス間でデータを共有するための方法のある実施形態において提供される処理手順を実行し得る。図6に示すように、第2の測位デバイス60は、受信モジュール61および測位モジュール62を含み、ここで、受信モジュール61は、第1の測位デバイスにより送信された補助データを受信するように構成され、ここで、補助データは、第1の測位デバイスにより測位サーバから取得され、第1の測位デバイスに対応する最初の位置情報を組み合わせることにより第1の測位デバイスが測位を実施するためのデータであり、測位モジュール62は、補助データおよび第2の測位デバイスに対応する最初の位置情報に従って測位を実施するように構成され、ここで、第2の測位デバイスおよび第1の測位デバイスは、同じローカルエリアネットワーク内に位置する。
【００７６】
受信モジュール61は、前述の実施形態におけるステップS201の方法を実行するように構成され得、測位モジュール62は、前述の実施形態におけるステップS202の方法を実行するように構成され得る。詳細については、前述の実施形態における方法の説明を参照されたく、それについては本明細書で再び記述しない。
【００７７】
本発明のこの実施形態に基づいて、受信モジュールにより受信された補助データは、測位サーバから第1の測位デバイスにより取得され解析後に得られるデータであり、補助データは、以下のデータ、すなわち、エフェメリス、アルマナック、時間、およびステータスデータのうちの1つまたは幾つかの組合せを含む。
【００７８】
受信モジュール61は、第2の測位デバイスによる測位プロセス中に測位サーバにより第2の測位デバイスに送信された、第2の測位デバイスに対応する最初の位置情報を受信するようにさらに構成される。
【００７９】
本発明のこの実施形態では、補助データが測位デバイス間で共有され、それにより、測位デバイスが、補助データを取得するために人工衛星と通信を行うことにより測位を実施する代わりに、共有される同じ補助データを使用して測位を直接実施することによって、補助データを取得するために測位デバイスが人工衛星と通信するときに費やされる時間を減らし、測位デバイスの測位スピードを高める。
【００８０】
図7は、本発明の別の実施形態による第2の測位デバイスの構成図である。本発明のこの実施形態において提供される第2の測位デバイスは、測位デバイス間でデータを共有するための方法のある実施形態において提供される処理手順を実行し得る。図7に示すように、前述の実施形態に基づいて、第2の測位デバイス60の測位モジュール62は、記憶ユニット71、フラグユニット72、および測位サブユニット73を含み、ここで、記憶ユニット71は、補助データをローカルメモリに記憶するように構成され、フラグユニット72は、フラグビットを設定するように構成され、ここで、フラグビットは、補助データがローカルに記憶されていることを識別するために使用され、測位サブユニット73は、第2の測位デバイスが測位動作を実施するときに、補助データおよび第2の測位デバイスに対応する最初の位置情報に従って測位を実施するように構成される。
【００８１】
記憶ユニット71およびフラグユニット72は、前述の実施形態におけるステップS303の方法を実行するように構成され得、測位サブユニット73は、前述の実施形態におけるステップS304の方法を実行するように構成され得る。詳細については、前述の実施形態における方法の説明を参照されたく、それについては本明細書で再び記述しない。
【００８２】
本発明のこの実施形態では、測位デバイスが補助データを受信するときにフラグビットが設定され、それにより、測位デバイスが、共有される補助データがローカルに記憶されているかどうかをフラグビットに従って判定することによって、補助データを取得するために測位デバイスが人工衛星と通信するときに費やされる時間を減らし、測位デバイスの測位スピードを向上させる。
【００８３】
図8は、本発明のある実施形態による、測位デバイス間でデータを共有するためのシステムの構成図である。本発明のこの実施形態において提供される、測位デバイス間でデータを共有するためのシステムは、測位デバイス間でデータを共有するための方法のある実施形態において提供される処理手順を実行し得る。図8に示すように、測位デバイス間でデータを共有するためのシステム80は、前述の実施形態の第1の測位デバイス50および前述の実施形態の第2の測位デバイス60を含む。
【００８４】
本発明のこの実施形態において提供される、測位デバイス間でデータを共有するためのシステムは、測位デバイス間でデータを共有するための方法の実施形態において提供される処理手順を実行し得る。
【００８５】
本発明のある実施形態は、測位デバイス間でデータを共有するための方法のある実施形態において提供される処理手順を実行し得る第1の測位デバイスを提供する。第1の測位デバイスは、受信器および送信器を含み、ここで、受信器は、補助データを測位サーバから取得するように構成され、ここで、補助データは、第1の測位デバイスに対応する最初の位置情報を組み合わせることにより測位を実施するために、第1の測位デバイスにより使用され、送信器は、補助データを第2の測位デバイスに送信するように構成され、それにより、第2の測位デバイスが補助データおよび第2の測位デバイスに対応する最初の位置情報に従って測位を実施し、ここで、第2の測位デバイスおよび第1の測位デバイスは、同じローカルエリアネットワーク内に位置する。
【００８６】
第1の測位デバイスはプロセッサをさらに含み、ここで、プロセッサは、測位サーバから受信器により取得された補助データを解析するように構成され、補助データは、以下のデータ、すなわち、エフェメリス、アルマナック、時間、およびステータスデータのうちの1つまたは幾つかの組合せを含む。
【００８７】
受信器は、第1の測位デバイスによる測位プロセス中に測位サーバにより第1の測位デバイスに送信された、第1の測位デバイスに対応する最初の位置情報を受信するようにさらに構成される。
【００８８】
送信器は、具体的に、補助データを第2の測位デバイスに送信するように構成され、それにより、第2の測位デバイスが補助データをローカルメモリに記憶しフラグビットを設定し、ここで、フラグビットは、補助データがローカルに記憶されたことを識別するために使用され、送信器は、第2の測位デバイスが測位動作を実施するときに、補助データおよび第2の測位デバイスに対応する最初の位置情報に従って測位を実施するように構成される。
【００８９】
本発明のこの実施形態では、補助データが測位デバイス間で共有され、それにより、測位デバイスが、補助データを取得するために人工衛星と通信を行うことにより測位を実施する代わりに、共有される同じ補助データを使用して測位を直接実施することによって、補助データを取得するために測位デバイスが人工衛星と通信するときに費やされる時間を減らし、測位デバイスの測位スピードを高める。
【００９０】
本発明のある実施形態は、測位デバイス間でデータを共有するための方法のある実施形態において提供される処理手順を実行し得る第2の測位デバイスを提供する。第2の測位デバイスは受信器およびプロセッサを含み、ここで、受信器は、第1の測位デバイスにより送信された補助データを受信するように構成され、ここで、補助データは、第1の測位デバイスにより測位サーバから取得され、第1の測位デバイスに対応する最初の位置情報を組み合わせることにより第1の測位デバイスが測位を実施するためのデータであり、プロセッサは、補助データおよび第2の測位デバイスに対応する最初の位置情報に従って測位を実施するように構成され、ここで、第2の測位デバイスおよび第1の測位デバイスは、同じローカルエリアネットワーク内に位置する。
【００９１】
受信器により受信された補助データは、測位サーバから第1の測位デバイスにより取得され解析後に得られるデータであり、補助データは、以下のデータ、すなわち、エフェメリス、アルマナック、時間、およびステータスデータのうちの1つまたは幾つかの組合せを含む。
【００９２】
受信器は、第2の測位デバイスによる測位プロセス中に測位サーバにより第2の測位デバイスに送信された、第2の測位デバイスに対応する最初の位置情報を受信するようにさらに構成される。
【００９３】
プロセッサは、補助データをローカルメモリに記憶しフラグビットを設定するようにさらに構成され、ここで、フラグビットは、補助データがローカルに記憶されていることを識別するために使用され、プロセッサは、第2の測位デバイスが測位動作を実施するときに、補助データおよび第2の測位デバイスに対応する最初の位置情報に従って測位を実施するように構成される。
【００９４】
本発明のこの実施形態では、補助データが測位デバイス間で共有され、それにより、測位デバイスが、補助データを取得するために人工衛星と通信を行うことにより測位を実施する代わりに、共有される同じ補助データを使用して測位を直接実施することによって、補助データを取得するために測位デバイスが人工衛星と通信するときに費やされる時間を減らし、測位デバイスの測位スピードを高める。
【００９５】
本発明の別の実施形態は、測位デバイス間でデータを共有するためのシステムを提供し、ここで、測位デバイス間でデータを共有するためのシステムは、前述の実施形態の第1の測位デバイスおよび前述の実施形態の第2の測位デバイスを含む。
【００９６】
本発明のこの実施形態において提供される、測位デバイス間でデータを共有するためのシステムは、測位デバイス間でデータを共有するための方法のある実施形態において提供される処理手順を実行し得る。
【００９７】
結論として、本発明の実施形態では、補助データが測位デバイス間で共有され、測位デバイスが補助データを受信するときにフラグビットが設定され、それにより、測位デバイスが、共有される補助データがローカルに記憶されているかどうかをフラグビットに従って判定することによって、補助データを取得するために測位デバイスが人工衛星と通信するときに費やされる時間を減らし、測位デバイスの測位スピードを向上させる。
【００９８】
本発明において提供される幾つかの実施形態では、開示される装置および方法が、他の様式で実施され得ることが理解されるべきである。例えば、記述される装置実施形態は例示にすぎない。例えば、ユニット区分は、論理的機能の区分にすぎず、実際の実施では他の区分であってもよい。例えば、複数のユニットまたはコンポーネントが組み合わされたり、別のシステムに統合されたりしてもよく、一部の特徴が省略されてもよく、実施されなくてもよい。加えて、表示または議論された相互結合もしくは直接結合または通信接続は、何らかのインターフェイスを使用して実施されてもよい。装置間またはユニット間の間接結合または通信接続は、電子的形態、機械的形態、または他の形態で実施されてもよい。
【００９９】
個別の部品として記述されたユニットは、物理的に分離されてもよく、分離されなくてもよく、ユニットとして表示された部品は、物理的ユニットであってもよく、物理的ユニットでなくてもよく、1箇所に位置してもよく、複数のネットワークユニット上に分散されてもよい。ユニットの一部または全部は、実施形態の解決策の目的を達成するように実際の必要性に従って選択されてもよい。
【０１００】
加えて、本発明の実施形態の機能ユニットは、1つの処理ユニットに統合されてもよく、ユニットのそれぞれは、物理的に単独で存在してもよく、2つ以上のユニットが1つのユニットに統合される。統合ユニットは、ハードウェアの形態で実施されてもよく、ソフトウェア機能ユニットに加えてハードウェアの形態で実施されてもよい。
【０１０１】
前述の統合ユニットは、ソフトウェア機能ユニットの形態で実施され、統合ユニットは、コンピュータ読み取り可能な記憶媒体に記憶され得る。ソフトウェア機能ユニットは、記憶媒体に記憶され、本発明の実施形態に記述された方法のステップの一部を実施するために、コンピュータデバイス（パーソナルコンピュータ、サーバ、ネットワークデバイスその他であり得る）またはプロセッサ（processor）に命令するための幾つかの命令を含む。前述の記憶媒体は、USBフラッシュドライブ、リムーバブルハードディスク、リードオンリーメモリ（Read−Only Memory、ROM）、ランダムアクセスメモリ（Random Access Memory、RAM）、磁気ディスク、または光ディスクなど、プログラムコードを記憶できる任意の媒体を含む。
【０１０２】
簡便かつ簡潔な説明のために、前述の機能モジュールの区分が、例示のための一例として取り上げられることは、当業者により明らかに理解され得る。実際の適用では、前述の機能を異なる機能モジュールに割り当てることができ、要件に従って実施することができ、すなわち、上述された機能の全てまたは一部を実施するために、装置の内部構造が、異なる機能モジュールに区分される。前述の装置の詳細な作動プロセスについては、前述の方法実施形態の対応するプロセスが参照され得、本明細書では詳細について再び記述されない。
【０１０３】
最後に、前述の実施形態が本発明の技術的解決策を記述するためのものにすぎず、本発明を限定するためのものではないことが留意されるべきである。前述の実施形態を参照して本発明が詳細に記述されるが、当業者は、本発明の実施形態の技術的解決策の範囲から逸脱せずに、前述の実施形態に記述された技術的解決策を修正したり、それらの技術的解決策の一部または全てを等価に置き換えたりし得ることを理解すべきである。
【符号の説明】
【０１０４】
50  第1の測位デバイス
51  取得モジュール
52  送信モジュール
53  解析モジュール
60  第2の測位デバイス
61  受信モジュール
62  測位モジュール
71  記憶ユニット
72  フラグユニット
73  測位サブユニット
80  システム
【図１】
2017508988.tif 000003
【図２】
2017508988.tif 000004
【図３】
2017508988.tif 000005
【図４】
2017508988.tif 000006
【図５】
2017508988.tif 000007
【図６】
2017508988.tif 000008
【図７】
2017508988.tif 000009
【図８】
2017508988.tif 000010
【手続補正書】
【提出日】平成28年10月18日(2016.10.18)
【手続補正１】
【補正対象書類名】明細書
【補正対象項目名】００２５
【補正方法】変更
【補正の内容】
【００２５】
測位サーバから取得された補助データを第1の測位デバイスにより解析するステップは、具体的に、第1の測位デバイスのファームウェアチップを使用して実施され、ここで、解析される補助データは、エフェメリス、アルマナック、時間、およびステータスデータを含む。補助データに含まれるエフェメリス、アルマナック、時間、およびステータスデータは、人工衛星が補助データを送信する瞬間の人工衛星のステータス情報に対応するエフェメリス、アルマナック、時間、およびステータスデータであり、ここで、エフェメリス、アルマナック、時間、およびステータスデータは、補助データ送信の瞬間に人工衛星に記録される。エフェメリス、アルマナック、時間、およびステータスデータは、データ集合を形成し、ここで、データ集合は、第1の測位デバイスに記憶される。
【手続補正２】
【補正対象書類名】明細書
【補正対象項目名】００３８
【補正方法】変更
【補正の内容】
【００３８】
測位サーバから取得された補助データを第1の測位デバイスにより解析するステップは、具体的に、第1の測位デバイスのファームウェアチップを使用して実施され、ここで、解析される補助データは、エフェメリス、アルマナック、時間、およびステータスデータを含む。補助データに含まれるエフェメリス、アルマナック、時間、およびステータスデータは、人工衛星が補助データを送信する瞬間の人工衛星のステータス情報に対応するエフェメリス、アルマナック、時間、およびステータスデータであり、ここで、エフェメリス、アルマナック、時間、およびステータスデータは、補助データ送信の瞬間に人工衛星に記録される。エフェメリス、アルマナック、時間、およびステータスデータは、データ集合を形成し、ここで、データ集合は、測位デバイスに記憶される。
【手続補正３】
【補正対象書類名】明細書
【補正対象項目名】００５２
【補正方法】変更
【補正の内容】
【００５２】
ステップS403：第1の測位デバイスのファームウェアチップが補助データを解析する。
【手続補正４】
【補正対象書類名】明細書
【補正対象項目名】００５３
【補正方法】変更
【補正の内容】
【００５３】
第1の測位デバイスのファームウェアチップは、GPSモジュールにより取得された補助データを解析する。
【手続補正５】
【補正対象書類名】明細書
【補正対象項目名】００６５
【補正方法】変更
【補正の内容】
【００６５】
第2の測位デバイスは、補助データをローカルメモリに記憶するか、または補助データに関する挿入操作を実施し、すなわち、第2の測位デバイスは、補助データを第2の測位デバイスのファームウェアチップに入力し、それにより、ファームウェアチップが、測位を実施するために補助データおよび第2の測位デバイスに対応する最初の位置情報を処理する。
【手続補正６】
【補正対象書類名】明細書
【補正対象項目名】００６７
【補正方法】変更
【補正の内容】
【００６７】
第2の測位デバイスのアプリケーション層は、ローカルメモリに記憶されている補助データを呼び出すか、またはファームウェアチップの処理結果を呼び出す。
【国際調査報告】
2017508988.tif 000011
2017508988.tif 000012
2017508988.tif 000013
2017508988.tif 000014